(57)【要約】【課題】原稿画像の読み取り処理、およびこの読み取った原稿画像を利用した変倍等の複数の異なる転写出力処理を効率的に行えること。【解決手段】読み取りユニット１で読み込まれた原稿の画像データは、センサーボードユニット２〜画像処理プロセッサー５〜画像データ制御部３〜パラレルバス４〜画像メモリーアクセス制御部８〜コントローラー側のメモリーモジュール９に格納される。転写出力時、メモリーモジュール９〜画像メモリーアクセス制御部８〜パラレルバス４〜画像データ制御部３に取り込みデータ伸張，変倍処理され、画像処理プロセッサー５で転写用の画像処理を施し再び画像データ制御部３に戻され、エンジン側のメモリーモジュール１８に格納される。画像データ制御部３はビデオデータ制御部１１〜作像ユニット１２に画像データを送り転写画像を得る。【選択図】　　　図５
2004112692.tif 000002
【特許請求の範囲】
【請求項１】
読み取った原稿の画像データをディジタル変換された画像データに変換して第１のメモリーに蓄積する画像パスと、転写出力時に前記第１のメモリーから画像データを読み出して転写画像の出力に必要な画像処理を施し作像手段に出力する画像パスとを備えた画像処理装置において、
前記第１のメモリーから画像データを読み出し転写画像として出力可能な画像データに処理する画像処理手段と、
前記画像処理手段が前記第１のメモリーから読み出した画像データを一時格納する第２のメモリーと、
を備えたことを特徴とする画像処理装置。
【請求項２】
前記画像処理手段は、
前記第１のメモリーから読み出した画像データに対して拡大あるいは縮小の変倍処理、および前記転写画像として出力可能な画像処理を施した画像データを前記第２のメモリーに格納することを特徴とする請求項１に記載の画像処理装置。
【請求項３】
前記画像処理手段は、
前記第１のメモリーから圧縮状態の画像データを読み出して伸張を行い、伸張後の該画像データに対して前記変倍処理を行い前記第２のメモリーに格納することを特徴とする請求項２に記載の画像処理装置。
【請求項４】
前記画像処理手段は、
前記第１のメモリーから読み出した画像データを前記第２のメモリーに格納した後、該第２のメモリーから画像データを読み出し転写画像として出力可能な画像処理を行い前記作像手段に出力することを特徴とする請求項１に記載の画像処理装置。
【請求項５】
前記画像処理手段は、
前記第１のメモリーから圧縮状態の画像データを読み出して前記第２のメモリーに格納した後、該第２のメモリーから画像データを読み出し伸張した後に転写画像として出力可能な画像処理を行い前記作像手段に出力することを特徴とする請求項４に記載の画像処理装置。
【請求項６】
前記画像処理手段は、
前記第１のメモリーから圧縮状態の画像データを読み出して前記第２のメモリーに格納した後、該第２のメモリーから画像データを読み出し伸張した後に画像データに対して拡大あるいは縮小の変倍処理、および転写画像として出力可能な画像処理を行い前記作像手段に出力することを特徴とする請求項４に記載の画像処理装置。
【請求項７】
前記画像処理手段は、
前記第１のメモリーから画像データを読み出し、転写画像として出力可能な画像処理を行い前記第２のメモリーに格納させ、該第２のメモリーへの画像データの格納が予め設定したライン数に到達したときに該第２のメモリーからの画像データの読み出しを開始することを特徴とする請求項１または４に記載の画像処理装置。
【請求項８】
前記画像処理手段は、
前記第１のメモリーから画像データを読み出し、転写画像として出力可能な画像処理を行い前記第２のメモリーに格納させ、該第２のメモリーへの画像データの格納が予め設定したライン数に到達したときに、転写プロセスを制御するＣＰＵに割り込みを発生し、該割り込みを受けたＣＰＵから発行されるメモリーリードコマンドに基づき該第２のメモリーからの画像データの読み出しを開始することを特徴とする請求項１または請求項４に記載の画像処理装置。
【請求項９】
前記画像処理手段は、
前記第１のメモリーから画像データを読み出し、転写画像として出力可能な画像処理を行い前記第２のメモリーに格納させ、該第２のメモリーへの画像データの格納が予め設定したライン数に到達したときに所定のフラグをセットして転写プロセスを制御するＣＰＵに前記格納を認識させ、該ＣＰＵから発行されるメモリーリードコマンドに基づき該第２のメモリーからの画像データの読み出しを開始することを特徴とする請求項１または請求項４に記載の画像処理装置。
【発明の詳細な説明】
【０００１】
【発明の属する技術分野】
この発明は、ディジタル画像データに対する画像処理を行う、より詳しくは、複写機、ファクシミリ、プリンター、スキャナーなどの機能を複合したディジタル複合機において、ディジタル画像データに対する画像処理、特に、原稿の読み取りと複数サイズの転写出力の利便性を向上させた画像処理装置に関する。
【０００２】
【従来の技術】
画像処理装置としてディジタル画像データを転写紙に画像として再生する装置、特に、スキャナーから画像を読み込んで転写紙に画像を再生する装置に関するものとして、本出願人は先に下記特許文献１に記載の「画像処理装置」を出願している。この装置について説明する。
【０００３】
図１０は、従来の画像処理装置のシステム構成を示すブロック図である。図にはディジタル複合機（ＭＦＰ）の構成が記載されている。原稿を光学的に読み取る読み取りユニット１は、原稿に対するランプ照射の反射光をミラーおよびレンズにより受光素子に集光する。受光素子（例えばＣＣＤ）は、センサーボードユニット２に搭載され、ＣＣＤにおいて電気信号に変換された画像データは、ディジタル信号に変換された後、センサーボードユニット２から出力される。
【０００４】
センサーボードユニット２から出力される画像データは、画像データ制御部３に入力される。機能デバイスおよびデータバス間における画像データの伝送は、画像データ制御部３が全て制御する。画像データ制御部３は、画像データに関しセンサーボードユニット２，パラレルバス４，画像処理プロセッサー５間のデータ転送と、全体制御を司るシステムコントローラー６と、画像データに対するプロセスコントローラー７間の通信を行う。
【０００５】
センサーボードユニット２からの画像データは、画像データ制御部３を経由して画像処理プロセッサー５に転送され、光学系およびディジタル信号への量子化に伴う信号劣化（スキャナー系の信号劣化）を補正し、再度画像データ制御部３へ出力される。
【０００６】
画像処理プロセッサー５から画像データ制御部３へ転送されたデータは、画像データ制御部３からパラレルバス４を経由して画像メモリーアクセス制御部８に送られる。ここではシステムコントローラー６の制御に基づき、画像データとメモリーモジュール９のアクセス制御、外部ＰＣ（パソコン）１０のプリント用データの展開、メモリー有効活用のための画像データの圧縮／伸張を行う。
【０００７】
画像メモリーアクセス制御部８へ送られたデータは、データ圧縮後にメモリーモジュール９へ蓄積され、蓄積データを必要に応じて読み出す。読み出しデータは伸張して本来の画像データに戻され、画像メモリーアクセス制御部８からパラレルバス４経由で画像データ制御部３へ戻される。
【０００８】
画像データ制御部３から画像処理プロセッサー５への転送後は、画質処理およびビデオデータ制御部１１でのパルス制御を行い、作像ユニット１２において転写紙上に再生画像を形成する。画像データの流れにおいて、パラレルバス４および画像データ制御部３でのバス制御により、ＭＦＰの機能を実現する。
【０００９】
ＦＡＸ送信機能は、読み取った画像データに対し画像処理プロセッサー５にて画像処理を実施し、画像データ制御部３およびパラレルバス４を経由してファクシミリ制御ユニット１３へ転送する。ファクシミリ制御ユニット１３にて通信網へのデータ変換を行い、公衆回線１４へＦＡＸデータとして送信する。
【００１０】
ＦＡＸ受信は、公衆回線１４からの回線データをファクシミリ制御ユニット１３にて画像データへ変換し、パラレルバス４および画像データ制御部３を経由して画像処理プロセッサー５へ転送される。この場合、特別な画質処理は行わず、ビデオデータ制御部１１においてドット再配置およびパルス制御を行い、作像ユニット１２において転写紙上に再生画像を形成する。
【００１１】
そして、複数ジョブ、例えばコピー機能，ＦＡＸ送受信機能，プリンター出力機能が並行に動作する状況において、読み取りユニット１，作像ユニット１２およびパラレルバス４使用権のジョブへの割り振りをシステムコントローラー６およびプロセスコントローラー７にて制御する。プロセスコントローラー７は画像データの流れを制御し、システムコントローラー６はシステム全体を制御し、各リソースの起動を管理する。ＭＦＰの機能選択は、操作パネル１５にて選択入力し、コピー機能、ＦＡＸ機能等の処理内容を設定する。
【００１２】
システムコントローラー６とプロセスコントローラー７は、パラレルバス４，画像データ制御部３およびシリアルバス１６を介して相互に通信を行う。画像データ制御部３内においてパラレルバス４とシリアルバス１６とのデータインターフェースのためのデータフォーマット変換を行う。
【００１３】
図１１は、画像処理プロセッサー５の構成を示すブロック図である。読み取り画像は、センサーボードユニット２，画像データ制御部３を介して画像処理プロセッサー５の入力Ｉ／Ｆ２１からスキャナー画像処理部２２へ伝達される。スキャナー画像処理部２２は、読み取り画像データの劣化補正を目的として、シェーディング補正，スキャナーγ補正，ＭＴＦ補正等を行う。補正処理ではないが、拡大／縮小の変倍処理も行う。読み取り画像データの補正処理終了後には、出力Ｉ／Ｆ２３を介して画像データ制御部３へ画像データを転送する。
【００１４】
転写紙への出力は、画像データ制御部３からの画像データを入力Ｉ／Ｆ２４より受け、画質処理部２５において面積階調処理を行う。画質処理後のデータは出力Ｉ／Ｆ２６を介してビデオデータ制御部１１へ出力される。面積階調処理は、濃度変換，ディザ処理，誤差拡散処理等があり、階調情報の面積近似を主な処理とする。一旦、スキャナー画像処理された画像データをメモリーに蓄積しておけば、画質処理を変えることによって種々の再生画像を確認することができる。
【００１５】
例えば、再生画像の濃度を振ってみたり、ディザマトリクスの線数を変更してみることにより、再生画像の雰囲気を変更できる。この際、処理を変更するたびに画像を読み取りユニット１から読み込み直す必要はなく、メモリーモジュール９から格納画像を読み出せば同一データに対し、何度でも異なる処理を実施できる。
【００１６】
また、単体スキャナーの場合、スキャナー画像処理と階調処理を合せて実施し、画像データ制御部３へ出力する。処理内容はプログラマブルに変更可能である。処理の切り替え、処理手順の変更等はコマンド制御部２７において管理する。
【００１７】
図１２は、画像データ制御部３の構成を示すブロック図である。画像データ入出力制御部３１は、センサーボードユニット２からの画像データを入力し、画像処理プロセッサー５に対してデータを出力する。画像データ入力制御部３２には、画像処理プロセッサー５でスキャナー画像補正されたデータが入力される。入力データは、パラレルバス４での転送効率を高めるためにデータ圧縮部３３においてデータ圧縮され、パラレルデータＩ／Ｆ３４を介してパラレルバス４へ送出される。
【００１８】
パラレルデータバスからパラレルデータＩ／Ｆ３４を介して入力される画像データは、バス転送のために圧縮されており、データ伸張部３５で伸張される。伸張された画像データは、画像データ出力制御部３６において画像処理プロセッサー５へ転送される。
【００１９】
また、シリアルデータＩ／Ｆ３８を有し、パラレルデータとシリアルデータの変換機能を併せ持つ。システムコントローラー６はパラレルバス４にデータを転送し、プロセスコントローラー７はシリアルバス１６にデータを転送する。２つのコントローラーの通信のためにデータ変換部３７はデータ変換を行う。シリアルデータＩ／Ｆ３９は、画像処理プロセッサー５用に備えた他の系統であり、画像処理プロセッサー５ともＩ／Ｆ可能である。処理の切り替え、処理手順の変更等はコマンド制御部４０において管理する。
【００２０】
図１３は、ビデオデータ制御部１１の構成を示すブロック図である。入力される画像データに対し作像ユニット１２の特性に応じて追加の処理を行う。例えば、エッジ平滑処理部４１でのエッジ平滑処理によるドットの再配置処理や、パルス制御部４２でのドット形成のための画像データのパルス制御を行い、画像データは作像ユニット１２を対象として出力される。画像データの変換とは別に、パラレルデータＩ／Ｆ４３とシリアルデータＩ／Ｆ４４およびデータ変換部４５を有し、パラレルデータとシリアルデータのフォーマット変換機能を有し、ビデオデータ制御部１１単体でもシステムコントローラー６とプロセスコントローラー７の通信に対応できる。
【００２１】
図１４は、画像メモリーアクセス制御部８の構成を示すブロック図である。パラレルデータＩ／Ｆ部５１は、パラレルバス４との画像データのインターフェースを管理する。構成的にはメモリーモジュール９への画像データの格納／読み出しと、主に外部のＰＣ１０から入力されるコードデータの画像データへの展開を制御する。入力されたコードデータは、ラインバッファー５２においてローカル領域でのデータの格納を行う。ラインバッファー５２に格納されたコードデータは、システムコントローラーＩ／Ｆ５３を介して入力されたシステムコントローラー６からの展開処理命令に基づき、ビデオ制御部５４において画像データに展開される。
【００２２】
展開された画像データ、もしくはパラレルデータＩ／Ｆ５１を介してパラレルバス４から入力された画像データは、メモリーモジュール９に格納される。この場合、データ変換部５５において格納対象となる画像データを選択し、データ圧縮部５６においてメモリー使用効率を上げるためにデータ圧縮を行い、メモリーアクセス制御部５７にてメモリーモジュール９のアドレスを管理しながらメモリーモジュール９に画像データを格納する。
【００２３】
メモリーモジュール９に格納された画像データの読み出しは、メモリーアクセス制御部５７にて読み出し先アドレスを制御し、読み出された画像データをデータ伸張部５８にて伸張する。伸張された画像データをパラレルバス４へ転送する場合、パラレルデータＩ／Ｆ５１を介してデータ転送を行う。
【００２４】
図１５は、ファクシミリ制御ユニット１３の構成を示すブロック図である。ファクシミリ制御ユニット１３は、画像データを通信形式に変換して外部の通信回線に送信し、また、外部からのデータを画像データに戻して外部Ｉ／Ｆ部６１およびパラレルバス４を介して作像ユニット１２から記録出力する。このファクシミリ制御ユニット１３は、ＦＡＸ画像処理部６２，画像メモリー６３，メモリー制御部６４，ファクシミリ制御部６５，画像圧縮伸張部６６，モデム６７および網制御装置６８を有している。
【００２５】
そして、ＦＡＸ画像処理に関し、受信画像に対する二値スムージング処理は、ビデオデータ制御部１１のエッジ平滑処理部４１において行う。また、画像のメモリー機能、特に出力バッファー機能に関しては、画像メモリーアクセス制御部８およびメモリーモジュール９がその機能の一部を実行する。
【００２６】
このように構成されたファクシミリ制御ユニット１３では、画像情報の伝送を開始するとき、ファクシミリ制御部６５がメモリー制御部６４に指令し、画像メモリー６３から蓄積している画像情報を順次読み出させる。読み出された画像情報は、ＦＡＸ画像処理部６２によって元の信号に復元されるとともに、密度変換処理および変倍処理がなされ、ファクシミリ制御部６５に加えられる。ファクシミリ制御部６５に加えられた画像データは、画像圧縮伸張部６６によって符号圧縮化され、モデム６７によって変調された後、網制御装置６８から通信回線を介して宛先へ送出される。そして、送信が完了した画像情報は、画像メモリー６３から削除される。
【００２７】
受信時には、受信画像は一旦画像メモリー６３に蓄積され、そのときに受信画像を記録出力可能であれば、１枚分の画像の受信を完了した時点で記録出力される。また、複写動作時に発呼されて受信を開始したときは、画像メモリー６３の使用率が所定値、例えば８０％に達するまでは画像メモリー６３に蓄積し、画像メモリー６３の使用率が８０％に達した場合には、そのときに実行している書き込み動作を強制的に中断し、受信画像を画像メモリー６３から読み出し記録出力させる。
【００２８】
このとき、画像メモリー６３から読み出した受信画像は、画像メモリー６３から削除し、画像メモリー６３の使用率が所定値、例えば１０％まで低下した時点で中断していた書き込み動作を再開させ、その書き込み動作を全て終了した時点で、残りの受信画像を記録出力させている。また、書き込み動作を中断した後に、再開できるように中断時に於ける書き込み動作のための各種パラメータを内部的に退避させ、再開時に、パラメータを内部的に復帰させる。
【００２９】
図１６は、スキャナー原稿を拡大あるいは縮小して転写画像を得る場合の画像パス（流れ）を示す図である。装置構成は図１０と同様である。コピー実行時には、前述したように、読み取りユニット１にて読み取られた画像データは、センサーボードユニット２，画像データ制御部３，画像処理プロセッサー５，画像データ制御部３と転送され、画像データ制御部３からパラレルバス４および画像メモリーアクセス制御部８を介してメモリーモジュール９に蓄積される。
【００３０】
この後、画像データはメモリーモジュール９から画像メモリーアクセス制御部８およびパラレルバス４を介して画像データ制御部３に送られ、画像処理プロセッサー５，ビデオデータ制御部１１，作像ユニット１２に送られ転写画像を得る。
【００３１】
この場合の拡大あるいは縮小の変倍処理は、画像処理プロセッサー５（図１１参照）のスキャナー画像処理部２２で行われる。図１７は、原稿と転写画像（プロット）のサイズを示す図である。図１７に示すように、原稿画像（ａ）がＡ４サイズ（２１０ｍｍ×２９７ｍｍ）であり、転写画像として（ｃ）Ａ４サイズ，（ｄ）Ａ５サイズ（１４８ｍｍ×２１０ｍｍ）、および（ｅ）Ａ３サイズ（２９７ｍｍ×４２０ｍｍ）の転写画像を得たい場合について説明する。
【００３２】
図１８は、上記画像パスをスキャンとプロットについて示した流れ図である。図１８に示すデータ転送パスのスキャン▲１▼では変倍処理なし（１００％）で原稿を読み取り、図１７（ｃ）に示す等倍（１００％）の転写画像を得る。次に、スキャン▲２▼にて原稿画像を読み取り画像処理プロセッサー５にて７１％の縮小変倍を行い、これを一旦メモリーモジュール９に格納後に読み出し、図１７（ｄ）に示すＡ５サイズの転写画像を得る。
【００３３】
さらに、スキャン▲３▼で再び原稿画像を読み取り、画像処理プロセッサー５にて今度は１４１％の拡大変倍を行い、これを一旦コントローラー側のメモリーに格納後に読み出し、図１７（ｅ）に示すＡ３サイズの転写画像を得ることになる。
【００３４】
次に、他の構成による画像処理装置について説明する。図１９に示す画像処理装置は、図１０の構成を一部変更したものであり、コントローラー側のメモリーモジュール９の他に、エンジン側のメモリーモジュール１７を備えている。
【００３５】
図には、原稿サイズがＡ４サイズのときに、転写画像としてＡ４サイズ，Ａ５サイズ，Ａ３サイズを得る場合の画像パスが示されている。図１９において、読み取りユニット１にて読まれた原稿画像データは、センサーボードユニット２，画像データ制御部３へと渡り、ここで一旦エンジン側メモリーモジュール１７に格納される。
【００３６】
その後、メモリーモジュール１７から原稿画像データが読み出され、画像データ制御部３，画像処理プロセッサー５，画像データ制御部３と転送され、パラレルバス４を介して画像メモリーアクセス制御部８に渡り、コントローラー側のメモリーモジュール９に格納される。
【００３７】
このときの変倍処理は、画像処理プロセッサー５内で実行される。その後、画像メモリーアクセス制御部８は、コントローラー側のメモリーモジュール９から変倍処理後の画像データを読み出し、パラレルバス４，画像データ制御部３，画像処理プロセッサー５，ビデオデータ制御部１１へと転送され、作像ユニット１２にて転写画像が得られることになる。
【００３８】
図２０は、上記画像パスをスキャンとプロットについて示した流れ図である。原稿画像がＡ４サイズで転写画像として、Ａ４サイズ，Ａ５サイズ，Ａ３サイズの転写画像を得る場合の様子が示されている。図１９に示すシステム構成の場合、エンジン側にスキャナー画像を一旦格納するメモリーモジュール１７が設けられているため、スキャンは１回のみでよく、その後、▲１▼エンジン側のメモリーモジュール１７から画像を読み出し、最初は変倍なし（１００％）でコントローラー側のメモリーモジュール９に格納し、その後、メモリーモジュール９から画像データを読み出し、Ａ４サイズの転写画像を得る。
【００３９】
次に、エンジン側のメモリーモジュール１７から再度、▲２▼原稿画像データを読み出し、画像処理プロセッサー５にて７１％の縮小処理を行い、Ａ５サイズの画像データにしてからコントローラー側のメモリーモジュール９に格納した後に読み出し、プロットすることでＡ５サイズに縮小した転写画像を得る。
【００４０】
さらに、エンジン側メモリーモジュール１７から再度、▲３▼原稿画像データを読み出し、画像処理プロセッサー５にて今度は１４１％の拡大処理を行い、Ａ３サイズの画像データにしてからコントローラー側のメモリーモジュール９に格納した後に読み出し、プロットすることで所望のＡ４サイズをＡ３サイズに拡大した転写画像を得ることになる。
【００４１】
【特許文献１】
特開２０００−３１６０６３号公報
【００４２】
【発明が解決しようとする課題】
しかしながら、特許文献１に開示された画像処理装置においては、変倍率が異なるたびに原稿画像を読み出し、拡大あるいは縮小の変倍処理が必要となり、原稿読み込みの手間がかかり、煩雑となる問題が生じた。
【００４３】
また、他の構成の画像処理装置の場合において、例えばＡ４からＡ３に拡大した転写画像が複数枚ほしい場合、常に読み取りユニット１（エンジン側）からコントローラー側のメモリーモジュール９に対する画像パスが使用されることになるため、この期間、次の新たな原稿画像データを読み取ることができず、生産性が低下することになる。
【００４４】
ここで、上記問題を解決するために、コントローラー側から作像ユニット１２に対する画像パス上で変倍を行うことが考えられる。例えば、画像データ制御部３内に変倍機能を持たせれる構成が考えられる。
【００４５】
図２１は、画像データ制御部３内で作像ユニット１２への画像パス上に変倍機能を設けた構成例を示すブロック図である。図示の例は、図１２に記載の構成におけるデータ伸張部３５と画像データ出力制御部３６の間に変倍ブロック部６９を配置したものである。このような構成の場合には、以下の問題が生じる。
【００４６】
図２２は、原稿と転写画像（プロット）のサイズを示す図である。図２２に示すように、転写紙サイズがＡ４サイズで、変倍前の原稿サイズがＡ４サイズ，Ａ５サイズ，Ａ３サイズ，Ａ２サイズの場合を考える。図１９において、コントローラー側のメモリーモジュール９から各サイズ（Ａ４〜Ａ２）の原稿データを画像メモリーアクセス制御部８，パラレルバス４を介して転送し、画像データ制御部３内で縮小あるいは拡大の変倍処理を行う。この際、転写紙サイズはＡ４であるが、パラレルバス４上で転送される画像サイズはＡ５〜Ａ２サイズとなる。
【００４７】
したがって、転写紙Ａ４のプロット時間内にＡ５〜Ａ２サイズの原稿をそれぞれパラレルバス４を介して転送する必要が生じ、当然、画像サイズが大きいとき、例えばＡ２サイズではＡ４サイズの面積の４倍の大きさとなり、これらの大きな画像サイズのデータを転送するために高速なパラレルバス４が必要となりコストがかかることになる。なお、この高速なパラレルバス４が実現できなければ図２１に示した構成による変倍機能は構築できない。
【００４８】
この発明は、上述した従来技術による問題点を解消するため、原稿画像の読み取り処理、およびこの読み取った原稿画像を利用した変倍等の複数の異なる転写出力処理を効率的に行える画像処理装置を提供することを目的とする。
【００４９】
【課題を解決するための手段】
上述した課題を解決し、目的を達成するため、請求項１の発明にかかる画像処理装置は、読み取った原稿の画像データをディジタル変換された画像データに変換して第１のメモリーに蓄積する画像パスと、転写出力時に前記第１のメモリーから画像データを読み出して転写画像の出力に必要な画像処理を施し作像手段に出力する画像パスとを備えた画像処理装置において、前記第１のメモリーから画像データを読み出し転写画像として出力可能な画像データに処理する画像処理手段と、前記画像処理手段が前記第１のメモリーから読み出した画像データを一時格納する第２のメモリーとを備えたことを特徴とする。
【００５０】
この請求項１の発明によれば、転写出力時のプロット速度に間に合うように第２のメモリーモジュールからの読み出しスピードを変更できるため、プロット速度が間に合わず異常画像が発生することを防止できるようになる。また、第１のメモリーと第２のメモリーとの間のデータ転送速度はプロット速度に影響を受けず高速転送が不要で高価なバスの準備が不要となる。
【００５１】
また、請求項２の発明にかかる画像処理装置は、請求項１に記載の発明において、前記画像処理手段は、前記第１のメモリーから読み出した画像データに対して拡大あるいは縮小の変倍処理、および前記転写画像として出力可能な画像処理を施した画像データを前記第２のメモリーに格納することを特徴とする。
【００５２】
この請求項２の発明によれば、変倍、特に縮小を行う場合でも第１のメモリーから第２のメモリーに転送する際に高速なバスを不要にでき、かつ転写出力時のプロット速度に間に合うように第１のメモリーからの読み出しスピードを変更でき、プロット速度が間に合わず異常画像が発生することを防止できるようになる。また、異なる変倍率の転写画像を得たい場合、第２のメモリーに格納された画像データを作像手段に出力する画像パスだけで変倍が可能となるため、この間、原稿を読み取り第１のメモリーに格納する画像パスを空けることができるようになる。作像出力側の画像パスで様々な変倍率の転写画像を出力中に次の原稿の読み取りが可能であり、オペレータが大量の原稿を読み取らせる場合、オペレータを待たせることなく高速に原稿読み取りが可能になるため、生産性を著しく向上できるようになる。
【００５３】
また、請求項３の発明にかかる画像処理装置は、請求項２に記載の発明において、前記画像処理手段は、前記第１のメモリーから圧縮状態の画像データを読み出して伸張を行い、伸張後の該画像データに対して前記変倍処理を行い前記第２のメモリーに格納することを特徴とする。
【００５４】
この請求項３の発明によれば、変倍を行う、特に縮小を行う場合でも第１のメモリーから第２のメモリーに転送する画像パスに高速なバスを設けることが不要となり、かつ、転写出力時のプロット速度に間に合うように第１のメモリーからの読み出しスピードを変更でき、プロット速度が間に合わず異常画像が発生することを防止できるようになる。また、異なる変倍率の転写画像を得たい場合、転写出力側の画像パスのみで変倍が可能となるため、この間、原稿の読み取り側の画像パスを空けることができ、転写出力側の画像パスで様々な変倍率の転写画像を出力中に次の原稿の読み取りが可能になる。これにより、オペレータが大量の原稿を読み取らせる場合、オペレータを待たせることなく高速に原稿読み取りが可能となるため、生産性を著しく向上できるようになる。
【００５５】
また、請求項４の発明にかかる画像処理装置は、請求項１に記載の発明において、前記画像処理手段は、前記第１のメモリーから読み出した画像データを前記第２のメモリーに格納した後、該第２のメモリーから画像データを読み出し転写画像として出力可能な画像処理を行い前記作像手段に出力することを特徴とする。
【００５６】
この請求項４の発明によれば、転写出力時のプロット速度に間に合うように第２のメモリーからの読み出しスピードを変更でき、プロット速度が間に合わず異常画像が発生することを防止できるようになる。また、第１のメモリーと第２のメモリーの間の画像パス上でのデータ転送を行うバスをプロット速度に間に合うように高速化する必要がなく、高価なバスの準備を不要にできる。
【００５７】
また、請求項５の発明にかかる画像処理装置は、請求項４に記載の発明において、前記画像処理手段は、前記第１のメモリーから圧縮状態の画像データを読み出して前記第２のメモリーに格納した後、該第２のメモリーから画像データを読み出し伸張した後に転写画像として出力可能な画像処理を行い前記作像手段に出力することを特徴とする。
【００５８】
この請求項５の発明によれば、変倍を行う、特に縮小を行う場合でも第１のメモリーから第２のメモリーに転送する画像パスに高速なバスを設けることが不要となり、かつ、転写出力時のプロット速度に間に合うように第１のメモリーからの読み出しスピードを変更でき、プロット速度が間に合わず異常画像が発生することを防止できるようになる。また、異なる変倍率の転写画像を得たい場合、転写出力側の画像パスのみで変倍が可能となるため、この間、原稿の読み取り側の画像パスを空けることができ、転写出力側の画像パスで様々な変倍率の転写画像を出力中に次の原稿の読み取りが可能になる。これにより、オペレータが大量の原稿を読み取らせる場合、オペレータを待たせることなく高速に原稿読み取りが可能となるため、生産性を著しく向上できるようになる。
【００５９】
また、請求項６の発明にかかる画像処理装置は、請求項４に記載の発明において、前記画像処理手段は、前記第１のメモリーから圧縮状態の画像データを読み出して前記第２のメモリーに格納した後、該第２のメモリーから画像データを読み出し伸張した後に画像データに対して拡大あるいは縮小の変倍処理、および転写画像として出力可能な画像処理を行い前記作像手段に出力することを特徴とする。
【００６０】
この請求項６の発明によれば、変倍を行う、特に縮小を行う場合でも第１のメモリーから第２のメモリーに転送する画像パスに高速なバスを設けることが不要となり、かつ、転写出力時のプロット速度に間に合うように第１のメモリーからの読み出しスピードを変更でき、プロット速度が間に合わず異常画像が発生することを防止できるようになる。また、異なる変倍率の転写画像を得たい場合、転写出力側の画像パスのみで変倍が可能となるため、この間、原稿の読み取り側の画像パスを空けることができ、転写出力側の画像パスで様々な変倍率の転写画像を出力中に次の原稿の読み取りが可能になる。これにより、オペレータが大量の原稿を読み取らせる場合、オペレータを待たせることなく高速に原稿読み取りが可能となるため、生産性を著しく向上できるようになる。
【００６１】
また、請求項７の発明にかかる画像処理装置は、請求項１または４に記載の発明において、前記画像処理手段は、前記第１のメモリーから画像データを読み出し、転写画像として出力可能な画像処理を行い前記第２のメモリーに格納させ、該第２のメモリーへの画像データの格納が予め設定したライン数に到達したときに該第２のメモリーからの画像データの読み出しを開始することを特徴とする。
【００６２】
この請求項７の発明によれば、ＣＰＵに負担をかけることなく第２のメモリーのリード制御を実現できる。
【００６３】
また、請求項８の発明にかかる画像処理装置は、請求項１または４に記載の発明において、前記画像処理手段は、前記第１のメモリーから画像データを読み出し、転写画像として出力可能な画像処理を行い前記第２のメモリーに格納させ、該第２のメモリーへの画像データの格納が予め設定したライン数に到達したときに、転写プロセスを制御するＣＰＵに割り込みを発生し、該割り込みを受けたＣＰＵから発行されるメモリーリードコマンドに基づき該第２のメモリーからの画像データの読み出しを開始することを特徴とする。
【００６４】
この請求項８の発明によれば、ＣＰＵに対して最小限の負担で第２のメモリーモジュールのリード制御を実現できる。
【００６５】
また、請求項９の発明にかかる画像処理装置は、請求項１または４に記載の発明において、前記画像処理手段は、前記第１のメモリーから画像データを読み出し、転写画像として出力可能な画像処理を行い前記第２のメモリーに格納させ、該第２のメモリーへの画像データの格納が予め設定したライン数に到達したときに所定のフラグをセットして転写プロセスを制御するＣＰＵに前記格納を認識させ、該ＣＰＵから発行されるメモリーリードコマンドに基づき該第２のメモリーからの画像データの読み出しを開始することを特徴とする。
【００６６】
この請求項９の発明によれば、ＣＰＵを用いて容易に第２のメモリーモジュールのリード制御を実現できる。
【００６７】
【発明の実施の形態】
以下に添付図面を参照して、この発明にかかる画像処理装置の好適な実施の形態を詳細に説明する。図１は、この発明の画像処理装置の構成を示すブロック図である。図において、前述した従来技術の構成（図１０）と同一の構成部には同一の符号を附している。
【００６８】
この構成において、パラレルバス４を中心として図面上部の配置（コントローラー）を構成する画像メモリーアクセス制御部８，ファクシミリ制御ユニット１３等のユニット側にメモリーモジュール９が配置されている。
【００６９】
そして、パラレルバス４を中心として図面下部の配置（エンジン）を構成する読み取りユニット１，センサーボードユニット２，画像データ制御部３，画像処理プロセッサー５，ビデオデータ制御部１１，作像ユニット１２のユニット側に他のメモリーモジュール１８を配置している。
【００７０】
また、画像処理プロセッサー５から直接、ビデオデータ制御部１１に転写用画像データを転送する構成とせずに、一旦、画像データ制御部３に出力し、画像データ制御部３からエンジン側のメモリーモジュール１８への格納および読み出しを行った後、画像データ制御部３からビデオデータ制御部１１に転写用画像データを転送する構成となっている。
【００７１】
図２は、画像データ制御部３の第１の構成を示すブロック図である。前述した図１２と同一の構成部には同一の符号を附してある。異なる点は、データ伸張部３５と画像データ出力制御部３６との間に変倍ブロック部７０を配置し、コントローラー側のメモリーモジュール９からエンジン側への画像パス上で画像データの拡大や縮小の変倍を可能に構成したものである。
【００７２】
また、図示のように、画像処理プロセッサー５から画像データの入力を受ける画像データ入力制御部１０１と、画像データ入力制御部１０１に入力された画像データをエンジン側のメモリーモジュール１８に出力するメモリー出力制御部１０２と、エンジン側のメモリーモジュール１８からの入力を受けるメモリー入力制御部１０３と、メモリー入力制御部１０３から入力された画像データをビデオデータ制御部１１に出力する転写データ出力制御部１０４を追加している。
【００７３】
図３は、画像データ制御部３の第２の構成を示すブロック図である。この構成例では、データ変換部３７とデータ伸張部３５の間に、エンジン側のメモリーモジュール１８に画像データを出力するメモリー出力制御部１０２と、エンジン側のメモリーモジュール１８から入力された画像データを受けるメモリー入力制御部１０３を配置している。
【００７４】
また、データ伸張部３５と、画像データ出力制御部３６との間に変倍ブロック部７０を配置してメモリーモジュール１８から入力された画像データに対する拡大や縮小の変倍を行い画像処理プロセッサー５に出力可能な構成である。さらに、画像処理プロセッサー５から画像データの入力を受ける画像データ入力制御部１０１と、転写データ出力制御部１０４が設けられている。
【００７５】
図４は、画像データ制御部３のメモリー出力制御部１０２に設けられたリードタイミング制御部１０５を示すブロック図である。リードタイミング制御部１０５は、エンジン側のメモリーモジュール１８のリードタイミングを制御する。
【００７６】
ラインレジスタ（ＬＩＮＥ）１０６にエンジン側のプロセスをコントロールするＣＰＵ（図示略）からのレジスタロード信号ｌｄ＿ｌｉｎｅがアクティブになるとメモリーリードを開始するときのライン数が設定される。ラインカウンタ（ＣＮＴＬ）１０７は、エンジン側のメモリーモジュール１８に格納される画像データのライン数をカウントし、リセット信号ｒｅｓ＿ｃｎｔｌにてカウンタ値がクリアされ、ラインデータが格納されるごとにカウンタインクリメント信号ｉｎｃ＿ｃｎｔｌがアクティブになり、カウンタ値がインクリメントされる。
【００７７】
これらラインレジスタ（ＬＩＮＥ）１０６の値と、ラインカウンタ（ＣＮＴＬ）１０７の値は、コンパレータ（ＣＭＰ）１０８により比較され、ラインカウンタ（ＣＮＴＬ）１０７の値Ｂがラインレジスタ（ＬＩＮＥ）１０６に設定されているライン数Ａ以上になったときに（Ａ≦Ｂ）、メモリーリードタイミングを示すＲＥＡＤ＿ＲＥＡＤＹ信号がアクティブになる。
【００７８】
このＲＥＡＤ＿ＲＥＡＤＹ信号がアクティブになったときに自動でメモリーリードを開始する場合と、エンジン側のプロセスを制御するＣＰＵに対して割り込みを発生する場合、あるいはエンジン側のメモリーモジュール１８への格納ライン数が設定値に達したことを示すフラグをセットする場合がある。
【００７９】
図５は、スキャナー原稿を拡大あるいは縮小して転写画像を得る場合の画像パス（流れ）を示す図である。装置構成は図１と同様であり、画像データ制御部３は図２に示す第１の構成時である。読み取りユニット１にて読み込まれた画像データは、センサーボードユニット２，画像処理プロセッサー５，画像データ制御部３と転送され、さらにパラレルバス４，画像メモリーアクセス制御部８を介してコントローラー側のメモリーモジュール９に格納される。
【００８０】
そして転写時には、コントローラー側のメモリーモジュール９から画像データを読み出し、画像メモリーアクセス制御部８，パラレルバス４を介して画像データ制御部３内に取り込まれる。そして、画像データ制御部３内のデータ伸張部３５にて伸張され、その後、変倍ブロック部７０にて拡大あるいは縮小の変倍処理が行われ、変倍処理後のデータが画像処理プロセッサー５に送られる。
【００８１】
画像処理プロセッサー５では転写のための画像処理が施され、再び画像データ制御部３に戻される。その後、画像データ制御部３内のメモリー出力制御部１０２により、一旦、エンジン側のメモリーモジュール１８に格納される。そして、画像データ制御部３に設けられたリードタイミング制御部１０５は、エンジン側のメモリーモジュール１８への格納ライン数が予め設定されたライン数に達したときに自動で、あるいはプロセスを制御するＣＰＵからのメモリーリードスタート信号にてエンジン側のメモリーモジュール１８から画像データのリードを開始し、画像データ制御部３からビデオデータ制御部１１，作像ユニット１２に送られ転写画像を得る。
【００８２】
図６は、上記画像パスをスキャンとプロットについて示した流れ図である。Ａ４サイズの原稿を読み取り、この原稿画像データからそれぞれ▲１▼Ａ４サイズ，▲２▼Ａ５サイズ，▲３▼Ａ３サイズの転写画像を得る場合の流れが示されている。
【００８３】
Ａ４サイズの原稿データは、▲１▼読み取りのスキャンが１回のみ行われ、▲１▼Ａ４サイズのプロット時には、この原稿画像データ（変倍なしのため変倍率１００％）が読み取りユニット１，センサーボードユニット２，画像処理プロセッサー５，画像データ制御部３，画像メモリーアクセス制御部８と送られ、コントローラー側のメモリーモジュール９に格納される。
【００８４】
その後、コントローラー側のメモリーモジュール９から画像メモリーアクセス制御部８，画像データ制御部３，画像処理プロセッサー５，画像データ制御部３と送られ、エンジン側のメモリーモジュール１８を介して画像データ制御部３，ビデオデータ制御部１１に送られ転写画像を得る。このとき、所望する転写画像はＡ４サイズで原稿と同じのため変倍は行われず１００％（Ａ４）のプロットが得られる。
【００８５】
次に、▲２▼Ａ５サイズのプロット時には、コントローラー側のメモリーモジュール９から同じ原稿画像データを読み出し、画像データ制御部３内にてＡ４サイズの画像データに対して７１％の縮小処理を行い、所望のＡ５サイズの転写画像を得る。
【００８６】
最後に、▲３▼Ａ３サイズのプロット時には、コントローラー側のメモリーモジュール９から同じ原稿画像データを読み出し、画像データ制御部３内にてＡ４サイズの画像データに対して１４１％の拡大処理を行い、所望のＡ３サイズの転写画像を得る。
【００８７】
上記の例では、原稿画像データが通常のＡ４サイズとしたが、広幅のコピー機では、Ａ３サイズ以上のＡ２サイズ，Ａ１サイズ，さらにＡ０サイズ等の大きな原稿を取り扱う場合もある。例えば、Ａ２サイズの原稿データを縮小してＡ４サイズの転写画像を得る場合、大きなデータ量（図２２参照）の原稿データをＡ４サイズのプロット速度に合わせてコントローラー側のメモリーモジュール９から受信する必要があり、エンジン側のメモリーモジュール１８が配置されない構成時には相当高速なパラレルバス４が必要となる。
【００８８】
高速なバス転送速度が実現できない場合において、例えば図２２に示した原稿▲４▼のように、原稿Ａ２サイズからＡ４サイズの転写画像を出力しようとしても転送速度が間に合わず、転写された画像は異常画像となり、正常な画像を得ることはできなくなる。しかしながら、この実施の形態によれば図５を用いて説明したようにエンジン側にメモリーモジュール１８を配置し、一旦変倍後の画像データを格納し、プロット速度が必ず間に合うタイミングでメモリーから画像データを読み出し転写する処理を行うことにより、上述したような高速なパラレルバス４が実現できない場合であっても異常画像のない正常な転写画像を得ることができるようになる。なお、このプロット速度が必ず間に合うタイミングは、図４を用いて説明したエンジン側のメモリーモジュール１８に格納された画像データのライン数を用いて管理すればよい。
【００８９】
図６を用いて説明した例において、プロット▲１▼〜▲３▼を実行している最中は、読み取りユニット１からコントローラー側のメモリーモジュール９への画像パスは空くことになる。したがって、この期間中に次の原稿データの読み出しが可能となり生産性を向上させることができる。オペレータが大量原稿を読み取らせる場合には、オペレータに対し操作待ちの時間を生じさせないことが重要であり、この実施の形態によればこれが可能となる。
【００９０】
図７は、スキャナー原稿を拡大あるいは縮小して転写画像を得る場合の画像パス（流れ）を示す図である。装置構成は図１と同様であり、画像データ制御部３は図３に示す第２の構成時である。図７において、読み取りユニット１にて読み込まれた画像データは、センサーボードユニット２，画像処理プロセッサー５，画像データ制御部３へと転送され、さらにパラレルバス４，画像メモリーアクセス制御部８を介してコントローラー側のメモリーモジュール９に格納される。
【００９１】
そして、転写時には、コントローラー側のメモリーモジュール９から画像データを読み出し、画像メモリーアクセス制御部８，パラレルバス４を介して画像データ制御部３内に取り込まれる。画像データ制御部３では画像データを一旦エンジン側のメモリーモジュール１８に格納する。この後、画像データ制御部３に設けられたリードタイミング制御部１０５は、前述した機能によりエンジン側のメモリーモジュール１８に対する画像データの格納ライン数が予め設定されたライン数に達したときに自動で、あるいはプロセスを制御するＣＰＵからのメモリーリードスタート信号にてエンジン側のメモリーモジュール１８から画像データのリードを開始する。
【００９２】
この画像データは、データ伸張部３５にて伸張され、その後変倍ブロック部７０にて拡大あるいは縮小の変倍処理が行われる。その後、変倍処理された画像データが、画像処理プロセッサー５に送られる。画像処理プロセッサー５では転写のための画像処理が施され、再び画像データ制御部３に戻される。その後、画像データ制御部３からビデオデータ制御部１１，作像ユニット１２に送られ転写画像を得る。
【００９３】
図８は、上記画像パスをスキャンとプロットについて示した流れ図である。Ａ４サイズの原稿を読み取り、この原稿画像データからそれぞれ▲１▼Ａ４サイズ，▲２▼Ａ５サイズ，▲３▼Ａ３サイズの転写画像を得る場合の流れが示されている。
【００９４】
Ａ４サイズの原稿データは、▲１▼読み取りのスキャンが１回のみ行われ、▲１▼Ａ４サイズのプロット時には、この原稿画像データ（変倍なしのため変倍率１００％）が、読み取りユニット１，センサーボードユニット２，画像処理プロセッサー５，画像データ制御部３，画像メモリーアクセス制御部８と送られ、コントローラー側のメモリーモジュール９に格納される。
【００９５】
その後、コントローラー側のメモリーモジュール９から画像メモリーアクセス制御部８，画像データ制御部３，エンジン側のメモリーモジュール１８、画像データ制御部３，画像処理プロセッサー５，画像データ制御部３と送られ、さらにビデオデータ制御部１１を経由して作像ユニット１２に送られ転写画像を得る。このとき、所望する転写画像はＡ４サイズで原稿と同じのため変倍は行われず１００％（Ａ４）のプロットが得られる。
【００９６】
次に、▲２▼Ａ５サイズのプロット時には、コントローラー側のメモリーモジュール９から同じ原稿画像データを読み出し、画像データ制御部３内にてＡ４サイズの画像データに対して７１％の縮小処理を行い、所望のＡ５サイズの転写画像を得る。
【００９７】
最後に、▲３▼Ａ３サイズのプロット時には、コントローラー側のメモリーモジュール９から同じ原稿画像データを読み出し、画像データ制御部３内にてＡ４サイズの画像データに対して１４１％の拡大処理を行い、所望のＡ３サイズの転写画像を得る。
【００９８】
上記構成時においても、プロット▲１▼〜▲３▼を実行している最中は、読み取りユニット１からコントローラー側のメモリーモジュール９へのパスは空くことになる。したがって、この期間中に次の原稿データの読み出しが可能となり、生産性を向上させることができる。
【００９９】
なお、図７に記載の構成時において前述した図５の構成と異なる点は、図５の場合は転写のための画像処理後のデータをエンジン側のメモリーモジュール１８に格納する。これに対して、図７の構成時には伸張前、即ち圧縮状態の画像データをエンジン側のメモリーモジュール１８に格納するようにしたことである。圧縮データと転写データのデータ量の小さい方をエンジン側のメモリーモジュール１８に格納することにより、エンジン側のメモリーモジュール１８に必要なメモリー量を抑えることができる。
【０１００】
次に、図９は、エンジン側のメモリーモジュール１８からのリード制御の状態を示すタイミングチャートである。図９（ａ）に示す状態は、図４に示したリードタイミング制御部１０５がＲＥＡＤ＿ＲＥＡＤＹ信号をアクティブにすると、画像データ制御部３内のメモリー入力制御部１０３が自動でメモリーリードを開始する場合の状態である。ＲＥＡＤ＿ＲＥＡＤＹのセットにより、エンジン側のメモリーモジュール１８からの読み出しをスタートする。
【０１０１】
図９（ｂ）に示す状態は、ＣＰＵが上記割り込みＣＰＵ＿ＩＲＱを検知した場合、エンジン側のメモリーモジュール１８からのリードを開始するためのリードスタート信号ＲＥＡＤ＿ＳＴＡＲＴを画像データ制御部３内のメモリー入力制御部１０３に出力し、メモリーリードを開始させる。
【０１０２】
図９（ｃ）に示す状態は、ＣＰＵが上記フラグの監視（ポーリング）にてフラグがセットされていること、即ち、エンジン側のメモリーモジュール１８への格納ライン数が設定値に達したことを検知すると、エンジン側のメモリーモジュール１８からのリードを開始するためのリードスタート信号ＲＥＡＤ＿ＳＴＡＲＴを画像データ制御部３内のメモリー入力制御部１０３に出力し、メモリーリードを開始する場合である。
【０１０３】
以上説明した実施の形態によれば、転写画像の出力時の画像パス上での変倍処理を問題なく実行できるとともに、プロットの最中であっても読み取りユニット１からコントローラー側のメモリーモジュール９に対する画像パスを空けることができるようになる。これにより、この空いている期間中に次の原稿データの読み込みが可能となり、生産性を向上させることができ、システム効率を上げることが可能となる。
【０１０４】
なお、本実施の形態で説明した画像処理方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【０１０５】
【発明の効果】
以上説明したように、この発明によれば、第１のメモリーを用いて原稿を読み取った画像データを格納し、第２のメモリーを用いて第１のメモリーから転送した画像データに対する画像処理を行い転写出力する構成としたので、これら異なる画像パスを同時に並行動作できるようになる。即ち、原稿の読み取りと、読み取った後の画像データを変倍し転写出力する処理とを平行に行えるようになる。転写出力時のプロット速度に間に合うように第２のメモリーからの読み出しスピードを変更でき、プロット速度が間に合わないときの異常画像の発生を抑えることができる。また、第１のメモリーと第２のメモリーの間の画像パスに設けるバスを必ずプロット速度に間に合うように高速にする必要がなく、高価なバスを不要にできる。
【０１０６】
特に、転写出力時に様々な変倍率の転写画像を出力していても次の原稿の読み取りが可能となり、オペレータが大量の原稿を読み取らせる場合、オペレータを待たせることなく高速に原稿読み取りが可能となるため、生産性を向上できる効果を奏する。
【図面の簡単な説明】
【図１】この発明の画像処理装置の構成を示すブロック図である。
【図２】画像データ制御部の第１の構成を示すブロック図である。
【図３】画像データ制御部の第２の構成を示すブロック図である。
【図４】リードタイミング制御部を示すブロック図である。
【図５】スキャナー原稿を拡大あるいは縮小して転写画像を得る場合の画像パス（流れ）を示す図である。
【図６】上記画像パスをスキャンとプロットについて示した流れ図である。
【図７】スキャナー原稿を拡大あるいは縮小して転写画像を得る場合の画像パス（流れ）を示す図である。
【図８】上記画像パスをスキャンとプロットについて示した流れ図である。
【図９】エンジン側のメモリーモジュール１８からのリード制御の状態を示すタイミングチャートである。
【図１０】従来の画像処理装置のシステム構成を示すブロック図である。
【図１１】画像処理プロセッサーの構成を示すブロック図である。
【図１２】画像データ制御部の構成を示すブロック図である。
【図１３】ビデオデータ制御部の構成を示すブロック図である。
【図１４】画像メモリーアクセス制御部の構成を示すブロック図である。
【図１５】ファクシミリ制御ユニットの構成を示すブロック図である。
【図１６】スキャナー原稿を拡大あるいは縮小して転写画像を得る場合の画像パス（流れ）を示す図である。
【図１７】原稿と転写画像（プロット）のサイズを示す図である。
【図１８】上記画像パスをスキャンとプロットについて示した流れ図である。
【図１９】従来の他の画像処理装置を示すブロック図である。
【図２０】上記画像パスをスキャンとプロットについて示した流れ図である。
【図２１】画像データ制御部内で作像ユニットへの画像パス上に変倍機能を設けた構成例を示すブロック図である。
【図２２】原稿と転写画像（プロット）のサイズを示す図である。
【符号の説明】
１　読み取りユニット
２　センサーボードユニット
３　画像データ制御部
４　パラレルバス
５　画像処理プロセッサー
６　システムコントローラー
７　プロセスコントローラー
８　画像メモリーアクセス制御部
９　メモリーモジュール（コントローラー側）
１１　ビデオデータ制御部
１２　作像ユニット
３２　画像データ入力制御部
３３　データ圧縮部
３４　パラレルデータＩ／Ｆ
３５　データ伸張部
３６　画像データ出力制御部
３７　データ変換部
３８　シリアルデータＩ／Ｆ
４０　コマンド制御部
１０１　画像データ入力制御部
１０２　メモリー出力制御部
１０３　メモリー入力制御部
１０４　転写データ出力制御部
１０５　リードタイミング制御部
１０６　ラインレジスタ（ＬＩＮＥ）
１０７　ラインカウンタ（ＣＮＴＬ）
１０８　コンパレータ（ＣＭＰ）
【図１】
2004112692.tif 000003
【図２】
2004112692.tif 000004
【図３】
2004112692.tif 000005
【図４】
2004112692.tif 000006
【図５】
2004112692.tif 000007
【図６】
2004112692.tif 000008
【図７】
2004112692.tif 000009
【図８】
2004112692.tif 000010
【図９】
2004112692.tif 000011
【図１０】
2004112692.tif 000012
【図１１】
2004112692.tif 000013
【図１２】
2004112692.tif 000014
【図１３】
2004112692.tif 000015
【図１４】
2004112692.tif 000016
【図１５】
2004112692.tif 000017
【図１６】
2004112692.tif 000018
【図１７】
2004112692.tif 000019
【図１８】
2004112692.tif 000020
【図１９】
2004112692.tif 000021
【図２０】
2004112692.tif 000022
【図２１】
2004112692.tif 000023
【図２２】
2004112692.tif 000024